(57)【要約】【課題】  以前はメタボリックシンドロームへの対応は必要なかった。しかし、カロリー、すなわち、食物の重さを知ることが必要になると、食物入り食器から食器単体重さを引算して食物重さを知る。この時、食器重さが特定数値であると引算と暗算が正確で早く出来る。カロリーを知るとメタボリックシンドロームの改善になる。【解決手段】製作最終時点での大中小の碗、皿、丼、カップの木材食器、プラスチッ食器、ガラス食器、陶磁器食器、金属食器の目標重さを、  ５０，１００，１５０，２００，２５０，３００，３５０，４００，４５０，５００ｇと一位桁に  ０  で二位桁に  ０  や  ５  である特定数値で製作し、さらに、食器の内側や外側に重さの呼称値を数字や記号や図形により転着、記入した食器である。【選択図】図１
0003175466.tif 000002
【実用新案登録請求の範囲】
【請求項１】
食器の重さの呼称値が食器の内側や外側に、数字や記号や図形で転着、記入されている食器である。呼称値は  ５０，１００，１５０，２００，２５０，３００，３５０，４００，４５０，５００ｇである。
【考案の詳細な説明】
【技術分野】
【０００１】  この発明は食器に関し、より詳細には、メタボリックシンドロームの一対処法としての日常的な食事の摂取カロリーを管理するための食器に関する。
【背景技術】
【０００２】  従来技術においては、食器は食物の一定量を収容する機能しか有しなかった。又、古来よりロクロ等により製作されたので、食器の製作は外形寸法と容積が基準となっていた。従って、食器自体の重さは注目されていなかった。【０００３】  従来技術では、食器内側に目印をつけておき、食物を目印の高さまで盛付けることにより、一定容量の食物を盛付けることが行われていた。しかし、この時の食物の重さは目視体積であるため正確ではなかった。又、ラップ材等に食物を盛付けて所定の重さを決定してから、食器に移し替えて盛付けていた。しかし、これは二重手間であり時間のかかることである。
【先行技術文献】
【特許文献】
【０００４】
【特許文献１】  登録実用新案第３１４５５７７号
【特許文献２】  特許公開平  １０−２３９５６
【特許文献３】  実用新案登録第３１３８９８９号
【特許文献４】  実用新案登録第３０６７７０４号
【考案の概要】
【考案が解決しようとする課題】
【０００５】  メタボリックシンドロームを解決するためには食事の総カロリーを管理することが求められる。総カロリー量を管理するには、食する食物の重さを管理することである。【０００６】  ところが、古来から現状まで碗、皿、丼、カップ等の食器はその外形寸法と容積を基に製作されている。食器の呼び名はその外形寸法で呼ばれる。従って、食器重さは二桁三桁の数字グラムの出来なり重さで出来ている。そのため、食物重さを求めるには、盛込んだ食器重さから食器単体重さを引算して求めるのであるが、食事時には複数種類以上の食器重さが出来なり重さで出来ているので引算は面倒である。【０００７】  メタボリックシンドロームの改善には、カロリーの基となる食物の重さを簡単に知ることが出来ればよい。食物を盛った食器全重さをハカリで測り全重さから食器単体の重さを引算することにより食物重さを知ることが出来る。このとき、食器重さが一位桁が  ０  （ゼロ）と二位桁が  ０（ゼロ）か  ５  （ゴ）である特定数値で出来ていると引算や暗算は正確で旱く出来る。すなわち、食器を外形寸法や容積でなく、特定数値の重さ主体で製作することである。【０００８】  食物の重さが判れば、食物重さに食物単位当たりのカロリーを乗算するとその食物の総カロリーが判る。この工程を食物毎に行えば毎食の総カロリーが判る。総カロリーが判ればメタボリックシンドロームの改善になる。
【課題を解決するための手段】
【０００９】  この発明は、以上の如き問題点を解消した食器を提供することを目的としてなされた。本発明は上記目的を達成するために、製作最終時点での大中小の碗、皿、丼、カップ等の木材食器、プラスチック食器、ガラス食器、陶磁器食器、金属食器、自身の重さを  １００，  ２００，  ３００，  ４００，  ５００ｇと一位桁や二位桁が０  （ゼロ）と  ５０，  １５０，  ２５０，  ３５０，  ４５０ｇと二位桁が  ５（ゴ）で一位桁が  ０  （ゼロ）の特定数値の重さを目標に製作する。食器は工業製品であるから出来あがった重さにはバラツキがある。従って食器の製作重さのバラツキは目標値の  ＋／−  （プラス／マイナス）５  ％（パーセント）以内とする。目標値はいわゆる呼称値となる。【００１０】  さらに、食器の内側や外側に重さの呼称値を数字や記号や図形により転着、記入しておく。食物を盛った食器全重さから食器単体の重さ呼称値を引算すると、食物の重さが判る。食物の重さに食物単位当たりカロリーを乗算すると食物カロリーが判る。引算や暗算の時、食器重さ呼称値が特定数値であるから正確で早く出来る。
【考案の効果】
【００１１】  食器の重さが目視確認でき、さらに特定数値の呼称値であるので食物を盛った食器をハカリで測った全重さから食器単体の重さ呼称値を引算や暗算すると食物重さが正確で早く判る。食物重さに食物単位当たりのカロリーを掛算すると、カロリーが判る。カロリーが判ると、メタボリックシンドロームの改善になる。
【図面の簡単な説明】
【００１２】
【図１】  本実施例の一例  碗の内側に重さ呼称値の算用数字を転着、記入した。１００ｇを目標として製作されるが、実際の重さが  ９５ｇから１０５ｇの範  囲内であっても、呼称値  １００  と転着、記入した。
【図２】  本実施例の一例  碗の外側に算用数字を転着、記入した。
【図３】  本実施例の一例  碗の内側に漢数字を転着、記入した。
【図４】  本実施例の一例  碗の内側に記号を転着、記入した。
【図５】  本実施例の一例  皿の内側に算用数字を転着、記入した。
【図６】  本実施例の一例  カップの外側に重さ呼称値の算用数字を転着、記入した。２００ｇを  目標に製作されるが、実際の重さが  １９０ｇから２１０ｇの範囲内であっても、呼称値  ２００  と転着、記入した。
【図７】  食器重さ呼称値の算用数字、漢数字による表示の方法。
【図８】  食器重さ呼称値の丸記号による表示の方法。
【考案を実施するための形態】
【００１３】  以下、本発明の実施の形態を図１〜図８に基づいて説明する。
図１に於いては、碗の内側に算用数字で碗の重さの呼称値を  １００  と転着、記入したものである。碗の重さの目標値を  １００ｇとして製作するが、製作バラツキがあるので目標値の  ＋／−  ５％  以内  すなわち、９５ｇから１０５ｇの範囲内のものを呼称値  １００  として転着、記入する。範囲外の重さの碗は本発明の範囲ではない。図２に於いては、碗の外側に算用数字を転着、記入したものである。図３に於いては、碗の内側に漢数字を転着、記入したものである。図４に於いては、碗の内側に丸記号を転着、記入したものである。図５に於いては、皿の内側に算用数字を転着、記入したものである。図６に於いては、カップの外側に算用数字でカップの重さの呼称値を  ２００と転着、記入したものである。カップの重さの目標値を      ２００ｇとして製作するが、製作バラツキがあるので目標値の  ＋／−  ５％  以内すなわち、１９０ｇから  ２１０ｇの範囲内のものを呼称値  ２００  として転着、記入する。図７に於いては、重さに対する算用数字と漢数字の転着、記入例を示した。図８に於いては、丸記号の表示例を示したものである。
【実施例】
【００１４】  食器は工業製品であるが、大中小の大きさがあり、重さは千差万別である。古来より、外形寸法と容積主体で製作されたからである。しかし、メタボリックシンドロームを改善する目的で食器を使うには、食器の重さが重要な要素である。食器の重さを特定数値を目標値として製作したとしても、製作重さのバラツキはあるので、重さの目標値の＋／−  ５  ％  の範囲内の食器を本発明の範囲とする。
又、目標値をいわゆる重さの呼称値とする。【００１５】  食器の内側、又は、外側に食器の重さの呼称値を数字、記号、図形等で転着、記入することにより、食事の支度する人、食べる人が食物と食器の重さを確認できる。
【産業上の利用可能性】
【００１６】  個人、家庭内で使用する食器を対象とするが、メタボリックシンドロームの改善に取組む多くの人々にその改善をもたらす食器であり、健康産業の商品となる。
【図１】
0003175466.tif 000003
【図２】
0003175466.tif 000004
【図３】
0003175466.tif 000005
【図４】
0003175466.tif 000006
【図５】
0003175466.tif 000007
【図６】
0003175466.tif 000008
【図７】
0003175466.tif 000009
【図８】
0003175466.tif 000010
【手続補正書】
【提出日】平成24年2月17日(2012.2.17)
【手続補正１】
【補正対象書類名】実用新案登録請求の範囲
【補正対象項目名】全文
【補正方法】変更
【補正の内容】
【実用新案登録請求の範囲】
【請求項１】
食物が盛られる食器の重さの呼称値が前記食器の内側や外側に、数字や記号や図形で転着、記入されている前記食器であり、呼称値は  ５０，１００，１５０，２００，２５０，３００，３５０，４００，４５０，５００ｇである。